(57)【要約】【課題】本発明は、極めて商品価値の高い画期的な車両用雨避け装置を提供することを目的とする。【解決手段】車両１の屋根２上方位置に設けられる雨避け体３が作動部Ｅの作動により搭乗者が乗降する乗降空間Ｓの上方位置まで移動するようにした車両用雨避け装置Ａであって、ドア４の開閉状態を感知するドアセンサーＢを具備し、このドアセンサーＢが前記ドア４の開放を感知した際、前記作動部６が作動して前記雨避け体３が車両１の屋根２上方位置から前記搭乗者が乗降する乗降空間Ｓの上方位置まで移動するように構成されたものである。【選択図】図２
2008056150.tif 000002
【特許請求の範囲】
【請求項１】
車両の屋根上方位置に設けられる雨避け体が作動部の作動により搭乗者が乗降する乗降空間の上方位置まで移動するようにした車両用雨避け装置であって、ドアの開閉状態を感知するドアセンサーを具備し、このドアセンサーが前記ドアの開放を感知した際、前記作動部が作動して前記雨避け体が車両の屋根上方位置から前記搭乗者が乗降する乗降空間の上方位置まで移動するように構成されていることを特徴とする車両用雨避け装置。
【請求項２】
請求項１記載の車両用雨避け装置において、雨や雪の降水状態を感知する降雨雪センサーを具備し、この降雨雪センサーが降雨雪を感知した時のみ前記ドアセンサーが機能するように構成されていることを特徴とする車両用雨避け装置。
【請求項３】
請求項１，２いずれか１項に記載の車両用雨避け装置において、前記雨避け体の移動の障害となる障害物を感知する障害物センサーを具備し、前記障害物センサーが障害物を感知した際、作動部が作動しない若しくは作動を停止するように構成されていることを特徴とする車両用雨避け装置。
【発明の詳細な説明】
【技術分野】
【０００１】
本発明は、例えば車両への乗降時に濡れることを防止する車両用雨避け装置に関するものである。
【背景技術】
【０００２】
例えば雨天時に車両へ乗り込む際、ドアを開放して傘を折り畳んで乗り込もうとする間に、搭乗者は勿論、車内も濡れてしまう。
【０００３】
そこで、この車両への乗降時に濡れるのを防止することを目的として、例えば実用新案登録第３０４４２２０号に開示される自動車乗降口用雨避け装置（以下、従来例）が提案されている。
【０００４】
この従来例は、水平にスライド突出する雨避け庇を自動車の屋根の上に設けたものである。
【０００５】
この従来例であれば、搭乗者が乗降する際、搭乗者が乗降する乗降空間Ｓの上方位置が雨避け庇により覆われる為、搭乗者は濡れることなく乗降が可能となり、車内も濡れることがない。
【０００６】
【特許文献１】実用新案登録第３０４４２２０号公報
【発明の開示】
【発明が解決しようとする課題】
【０００７】
ところで、この従来例は、雨避け庇のスライド移動はモータの作動を介して行われるが、この雨避け庇のスライドがドアを車内のスイッチ操作により作動する構造の為、降車時においてはこの従来例は雨避け機能を発揮するものの、乗車時には問題がある。即ち、乗車時にはドアを開けてスイッチ操作をしなければならず、このスイッチ操作の際に傘を折り畳まなければならない為、結局、濡れてしまい、また、傘を差したままでのスイッチ操作は厄介で煩わしい。
【０００８】
本発明は、上述の問題点に着目し、極めて商品価値の高い画期的な車両用雨避け装置を提供するものである。
【課題を解決するための手段】
【０００９】
添付図面を参照して本発明の要旨を説明する。
【００１０】
車両１の屋根２上方位置に設けられる雨避け体３が作動部６の作動により搭乗者が乗降する乗降空間Ｓの上方位置まで移動するようにした車両用雨避け装置Ａであって、ドア４の開閉状態を感知するドアセンサーＢを具備し、このドアセンサーＢが前記ドア４の開放を感知した際、前記作動部６が作動して前記雨避け体３が車両１の屋根２上方位置から前記搭乗者が乗降する乗降空間Ｓの上方位置まで移動するように構成されていることを特徴とする車両用雨避け装置に係るものである。
【００１１】
また、請求項１記載の車両用雨避け装置Ａにおいて、雨や雪の降水状態を感知する降雨雪センサーＣを具備し、この降雨雪センサーＣが降雨雪を感知した時のみ前記ドアセンサーＢが機能するように構成されていることを特徴とする車両用雨避け装置に係るものである。
【００１２】
また、請求項１，２いずれか１項に記載の車両用雨避け装置Ａにおいて、前記雨避け体３の移動の障害となる障害物を感知する障害物センサーＤを具備し、前記障害物センサーＤが障害物を感知した際、作動部６が作動しない若しくは作動を停止するように構成されていることを特徴とする車両用雨避け装置に係るものである。
【発明の効果】
【００１３】
本発明は上述のように構成したから、前述した従来例に比し、装置を作動するための車内のスイッチを押す等の特別な操作を必要とせず、よって雨天時に車両に乗り込む際に濡れずに済むことになるなど極めて商品価値の高い画期的な車両用雨避け装置となる。
【発明を実施するための最良の形態】
【００１４】
好適と考える本発明の実施形態を、図面に基づいて本発明の作用を示して簡単に説明する。
【００１５】
ドア４を開放すると、ドアセンサーＢはドア４が開いたことを感知し、作動部６が作動して雨避け体３は搭乗者が乗降する乗降空間Ｓの上方位置まで移動し、乗降空間Ｓの上方位置は雨避け体３により覆われる。
【００１６】
従って、例えば雨天時における車両１への乗降の際、搭乗者は濡れることが可及的に防止されることになり、しかも、雨避け体３の移動はドア４の開閉状態をドアセンサーＢが感知したことを契機として行われる為、前述した従来例のような問題は生じない。
【実施例】
【００１７】
本発明の具体的な実施例について図１〜６に基づいて説明する。
【００１８】
本実施例は、車両１の屋根２上方位置に設けられる雨避け体３が作動部６の作動により搭乗者が乗降する乗降空間Ｓの上方位置まで移動するようにした車両用雨避け装置Ａであって、ドア４の開閉状態を感知するドアセンサーＢを具備し、このドアセンサーＢが前記ドア４の開放を感知した際、前記作動部６が作動して前記雨避け体３が車両１の屋根２上方位置から移動し、搭乗者が乗降する乗降空間Ｓの上方位置が覆われるように構成されたものである。
【００１９】
以下、本実施例に係る構成各部について詳細な説明をする。
【００２０】
雨避け体３は、図１〜３に図示したように適宜な金属製の部材（アルミ）を略方形板状に形成したものであり、この先端縁部３ａ及び一側縁部３ｂは先端が下向きとなるよう湾曲形成されている。
【００２１】
尚、雨避け体３は金属製に限らず、ポリシート等の合成樹脂製でも良く、柔軟・硬質は問わないが全天候に強く軽量で丈夫な材質であれば適宜採用し得るものである。
【００２２】
また、雨避け体３は、後述する移動装置Ｅを介して車両１の屋根２上方位置に配され、この移動装置Ｅの作動により乗降空間Ｓの上方位置まで移動するように構成されている。
【００２３】
移動装置Ｅは、図１に図示したように、屋根２の上面に設置される設置体８とこの設置体８に擺動自在に枢着され、雨避け体３を支持する支持体５とを有するものである。
【００２４】
設置体８は、吸盤10で構成され、車両１の屋根２の任意の位置に設置自在となる。
【００２５】
支持体５は、雨避け体３の裏面に付設される金属パイプ製の枠状体１２と４本の金属パイプ製の擺動棒状体１３ａ，１３ｂ，１３ｃ，１３ｄとで構成されている。
【００２６】
この金属パイプ製の擺動棒状体１３ａは先端鉤部が金属パイプ製の枠状体１２に設けられたリング１４に係止され、基端が作動部６としてのモータ９に連結されている。
【００２７】
また、この金属パイプ製の擺動棒状体１３ｂは、先端鉤部が金属パイプ製の枠状体１２に設けられたリング１４に係止され、基端が設置体８に設けられたリング７に係止されている。
【００２８】
また、この金属パイプ製の擺動棒状体１３ｃ，１３ｄは、先端鉤部が金属パイプ製の枠状体１２の補強桟１１に設けられたリング１４に係止され、基端が設置体８に設けられたリング７に係止されている。
【００２９】
従って、金属パイプ製の擺動棒状体１３ａ，１３ｂ，１３ｃ，１３ｄは、車両１の屋根２上方位置において、略１８０°の回動範囲で擺動するように設けられている。
【００３０】
よって、金属パイプ製の擺動棒状体１３ａがモータ９の作動により擺動すると、金属製の擺動棒状体１３ｂ，１３ｃ，１３ｄも同様に擺動し、金属パイプ製の枠状体１２は、水平状態を維持したまま車両１の屋根２上方位置から乗降空間Ｓの上方位置へ略水平に移動することになり、雨避け体３は乗降空間Ｓの上方位置を覆うことになる。
【００３１】
また、前記移動装置Ｅには作動部６が設けられている。
【００３２】
具体的には、前記作動部６は車のワイパー動作と同様の作動をする反転モータ９であり、前記金属パイプ製の擺動棒状体１３ａと連結され、この作動部６の作動によりこの金属パイプ製の擺動棒状体１３ａは擺動する。
【００３３】
ドアセンサーＢは図３に図示したように車両１とドア４の対向する位置に設けられた検知素子と接触素子から成り、このドアセンサーＢはドア４が開いた際に、接触素子と検知素子とが離反することでドア４の開放を感知し、また、ドア４が閉塞した際には、接触素子と検知素子とが接触することでドア４の閉塞を感知するように設けられている。
【００３４】
また、ドアセンサーＢは降雨雪センサーＣの感知にもとずきその機能を発揮する。
【００３５】
具体的には、この降雨雪センサーＣは車両１若しくは車両用雨避け装置Ａの降雨雪が妨げられない位置に設けられており、この降雨雪センサーＣは、降雨若しくは降雪時に降雨若しくは降雪を感知するように設定され、降雨若しくは降雪を感知した時のみ前記ドアセンサーＢが機能する。
【００３６】
また、本実施例は、雨避け体３の移動の障害となる障害物を感知する障害物センサーＤが設けられている。
【００３７】
具体的には、この障害物センサーＤは図１に図示したように、雨避け体３の移動方向の先端位置に設けられており、この障害物センサーＤは雨避け体３の移動の際に、移動の障害となる障害物、例えば樹木や壁などを感知するように設けられている。
【００３８】
障害物センサーＤは障害物を感知した際に、作動部６の作動を停止させ、障害物が除かれ、障害物センサーＤが障害物を感知しなくなると、作動部６の作動停止が解除されて、再び作動部６が作動するように設けられている。
【００３９】
また、障害物センサーＤが感知する障害物との距離は適宜設定し得るように設けると良い。
【００４０】
本実施例は上述のように構成したから、次ぎの作用効果を発揮する。
【００４１】
ドア４を開けると反転モータ９が作動し、金属パイプ製の擺動棒状体１３ａ，１３ｂ，１３ｃ，１３ｄは略１８０°の回動範囲を擺動し、よって、雨避け体３は車両１の屋根２の上方から搭乗者が乗降する乗降空間Ｓの上方位置へ略水平方向へ移動し雨避け体３は搭乗者が乗降する乗降空間Ｓの上方を覆う。
【００４２】
尚、前記状態からドア４を閉じると、ドアセンサーＢはドア４が閉じたことを感知し、作動部６が作動し、移動体Ｅは移動し、屋根２上方位置に戻ることとなる。
【００４３】
よって、本実施例によれば、例えば雨天時における車両への乗降の際、搭乗者は濡れることが可及的に防止される。
【００４４】
また、本実施例は、雨避け体３の移動がドア４の開閉により行われ、スイッチを押すなどの作動のための特別な操作を必要とせず、しかも雨天時に車両に乗り込む際に濡れずに済むことになるなど極めて商品価値の高い画期的な車両用雨避け装置となる。
【００４５】
また、本実施例は、降雨雪センサーＣが感知した時のみにしかドアセンサーＢが機能しないから、雨避け体３が必要なときだけ移動する便利な装置となる。
【００４６】
また、本実施例は、雨避け体３の移動方向に障害物があると感知して移動を停止するから、雨避け体３が障害物に衝突することがなく、従って本実施例が破損することもない。
【００４７】
また、本実施例は、雨避け体３は、先端辺部３ａは先端が下向きとなるように湾曲に形成されているから走行中の空気抵抗を受け難いこととなり、また、一側辺部３ｂは先端が下向きとなるように湾曲に形成されているから、搭乗者が乗降する乗降空間Ｓの上方位置を覆っている際に、車両と雨避け体３との隙間からの雨の吹き込みを防止することとなる。
【００４８】
以下、本実施例の作動を図６のフローチャートによって説明する。
【００４９】
晴れているときは、ドア４を開けても、降雨雪センサーＣは雨を感知しないから雨避け体３は移動しない。
【００５０】
雨天の際には、ドア４を開けると、降雨雪センサーＣが雨を感知することでドアセンサーＢが働き、ドア４の開放を感知し、作動部６が作動し、雨避け体３は乗降空間Ｓの上方に移動（往）する。
【００５１】
その際、雨避け体３の移動方向に障害物があると障害物センサーＤが障害物を感知し、雨避け体３は移動を停止する。障害物が除かれると障害物センサーＤは障害物を感知しなくなり、雨避け体３は再び移動し（往）、雨避け体３は乗降空間Ｓの上方に移動し、停止する。
【００５２】
移動途中に障害物が無い場合は、障害物センサーＤは感知しないから、そのまま雨避け体３は乗降空間Ｓの上方まで移動し、停止する。
【００５３】
前記の状態からドア４を閉じると、ドアセンサーＢが再び働き、ドア４の閉塞を感知し、作動部６は作動し、雨避け体３は移動して車両１の屋根２の上方に戻る（復）。
【００５４】
尚、本発明は、本実施例に限られるものではなく、各構成要件の具体的構成は適宜設計し得るものであり、雨避け体３は、重合構造に設けて拡がる構造を採用しても良いし、また、移動体Ｅも設置位置から搭乗者が乗降する乗降空間Ｓの上方位置を覆うように移動する構造であれば、スライドや回動などどのように移動する構造であっても良い。
【図面の簡単な説明】
【００５５】
【図１】本実施例の分解斜視図である。
【図２】本実施例の平面図である。
【図３】本実施例の作動状態の平面図である。
【図４】本実施例の正面図である。
【図５】本実施例作動状態の正面図である。
【図６】本実施例の作動フローチャート図である。
【符号の説明】
【００５６】
Ａ  車両用雨避け装置
Ｂ  ドアセンサー
Ｃ  降雨雪センサー
Ｄ  障害物センサー
Ｅ  移動装置
Ｓ  乗降空間
１  車両
２  屋根
３  雨避け体
４  ドア
６  作動部
【図１】
2008056150.tif 000003
【図２】
2008056150.tif 000004
【図３】
2008056150.tif 000005
【図４】
2008056150.tif 000006
【図５】
2008056150.tif 000007
【図６】
2008056150.tif 000008